(57)【要約】【課題】  専用の継手部材を必要とせず、多少パイプ径が異なる場合でも容易に設置できる枠組足場用屋根構造を提供する。【解決手段】  枠組足場の上部に備わる略円柱形状乃至は円筒形状の突起に対して該突起の径方向に開閉して当該突起を把持固定可能なクランプ部１１０、１１２をそれぞれ備えた長さの異なる２本の支柱部材１０４、１０６と、当該２本の支柱部材１０４、１０６の上に傾斜して配置され、屋根となるシート部材を設置する際の支持骨となる傾斜部材１０２と、を備える。【選択図】図１
2020180467.tif 000002
【特許請求の範囲】
【請求項１】
枠組足場の上部に備わる略円柱形状乃至は円筒形状の突起に対して該突起の径方向に開閉して当該突起を把持固定可能なクランプ部をそれぞれ備えた長さの異なる２本の支柱部材と、
当該２本の支柱部材の上に傾斜して配置され、屋根となるシート部材を設置する際の支持骨となる傾斜部材と、を備える
ことを特徴とする枠組足場用屋根構造のフレーム。
【請求項２】
請求項１において、
前記フレームを複数設置すると共に、前記フレーム同士を前記シート部材で連結した
ことを特徴とする枠組足場用屋根構造。
【発明の詳細な説明】
【技術分野】
【０００１】
本発明は、足場に関し、特に詳しくは、建物と足場の隙間等を塞ぐための屋根構造に関するものである。
【背景技術】
【０００２】
従来から、建物と足場の間に生じる隙間上部を覆うような屋根構造に関する発明は多数存在する。
【０００３】
例えば、特許文献１に記載される枠組み足場用屋根は、枠組足場の最上段に継手部材を介して設置して使用されるものである。
【先行技術文献】
【特許文献】
【０００４】
【特許文献１】実開平６−１５９７号公報
【発明の概要】
【発明が解決しようとする課題】
【０００５】
しかしながら、特許文献１に記載の枠組足場用屋根は、枠組足場の上部から差し込み、連結するパイプ内周面に形成された突起２４，２５と継手部材８に形成された溝２２、２３を利用して枠組足場と屋根構造を固定している（本段落における符号は、特許文献１で使用されている符号をそのまま利用している。）。
【０００６】
しかしながらこのような構造では、専用の継手部材が必要となるし、パイプ側にも突起加工が必要となりコスト高となる。また、パイプ径が異なると、それだけで使用できなくなるという問題もある。
【０００７】
発明者はこういった問題点を鑑み、専用の継手部材を必要とせず、多少パイプ径が異なる場合でも容易に設置できる枠組足場用屋根構造のフレーム乃至は枠組足場用屋根構造を提供する事を課題として本発明をおこなったのである。
【課題を解決するための手段】
【０００８】
上記課題を解決するべく、本願発明は、枠組足場の上部に備わる略円柱形状乃至は円筒形状の突起に対して該突起の径方向に開閉して当該突起を把持固定可能なクランプ部をそれぞれ備えた長さの異なる２本の支柱部材と、当該２本の支柱部材の上に傾斜して配置され、屋根となるシート部材を設置する際の支持骨となる傾斜部材と、を備えるように枠組足場用屋根構造のフレームを構成する。
【０００９】
即ち、このフレームを複数設置すると共に、フレーム（の傾斜部材）同士を前記シート部材で連結することにより枠組足場用屋根構造を構成するのである。
【００１０】
枠組足場には多くの種類が存在するが、例えば図３に示したように、目的に応じて様々な形状、サイズの枠組足場１０、２０、３０が存在する。しかし最近多用されている枠組足場には、図３にも示しているように、組み立てを容易とするため、枠組足場の上部に円柱形状乃至は円筒形状の突起が予め備わっている場合が多い。そこで発明者は、この突起部分を当該突起の半径方法に開閉することによって、多少パイプ径が異なっても容易に取り付ける事ができるクランプを屋根構造フレーム側に取り付け、直接枠組足場上部の突起に接続できる構造を採用したのである。
【発明の効果】
【００１１】
本発明を適用することで、専用の継手部材を必要とせず、多少パイプ径が異なる場合でも容易に設置できる枠組足場用屋根構造を提供することができる。
【図面の簡単な説明】
【００１２】
【図１】本発明の実施形態の一例である枠組足場用屋根構造のフレームの概略構成図であって、（ａ）が側面図、（ｂ）が平面図である。
【図２】本発明の実施形態の一例である枠組足場用屋根構造のフレームを枠組足場に取り付けた状態を示した図である。
【図３】枠組足場を構成する部材の一例を示した図である。
【発明を実施するための形態】
【００１３】
以下、添付図面を参照しつつ、本発明の実施形態の一例である枠組足場用屋根構造フレーム１００を中心に説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。また、当該フレーム１００同士を屋根となるシート部材で繋ぐように構成し、全体として屋根構造とする点に関しては、従来例と特段変わることがないので、省略する。
【００１４】
〈枠組足場用屋根構造のフレームの構成〉
図１に示しているように、本発明の実施形態の一例として示した枠組足場屋根構造のフレーム１００は、枠組足場の上部に備わる略円柱形状乃至は円筒形状の突起に対して該突起の径方向に開閉して当該突起を把持固定可能なクランプ部１１０、１１２をそれぞれ備えた長さの異なる２本の支柱部材１０４、１０６と、当該２本の支柱部材１０４、１０６の上に傾斜して配置され、屋根となるシート部材（図示していない）を設置する際の支持骨となる傾斜部材１０２と、を備える。
【００１５】
傾斜部材１０２の両端上部には、リング形状のシート部材固定輪１０３がそれぞれ設けられており、このシート部材固定輪１０３を利用してシート部材を括り付けて固定する。
【００１６】
支柱部材１０４は支柱部材１０６より長く構成されており、結果、傾斜部材が傾くように構成される。この傾きが、シート部材を取り付けた際の屋根の傾きとなる。
【００１７】
クランプ部１１０、１１２は、支柱部材１０４、１０６の下端に固定されており、枠組足場の上部に備わる突起（略円柱形状乃至は円筒形状の突起）を直接把持する事が可能となっている。このクランプ部１１０、１１２は、ネジ等の締込調整部１１０ａ、１１２ａを備えており、当該締込調整部１１０ａ、１１２ａを緩めることにより突起部の半径方向に広がり、且つ、締め込むことにより突起部の半径方向に狭まるよう構成されている。その結果、枠組足場の突起の径が多少異なっていても、問題なく対応して取り付ける事が可能となっている。
【００１８】
なお、図示していないが、屋根となるシート部材は、四隅に紐やタイラップなどの締結部材を通すための穴を備え、全体が例えば矩形に構成されている。一定程度の防水性能と柔軟性、及び耐久性を備える限りにおいて、材質は特に問わない。布や樹脂製シートなど広く利用することができる。
【００１９】
〈枠組足場用屋根構造のフレームの使い方〉
枠組足場用屋根構造のフレーム１００の使用方法は極めて簡易である。図２に示しているように、組み上げた枠組足場２０の最上段に載せるようにして取り付ける。この時、枠組足場２０上部の突起２０ａを直接クランプ部１１０、１１２が把持するように取り付ける。
【００２０】
この枠組足場用屋根構造のフレーム１００を複数並べるようにして枠組足場に取り付け、それらを繋ぐようにシート部材（図示していない）を架設すれば、枠組足場用屋根構造が完成となる。
【００２１】
〈その他の構成例〉
なお上記では、支柱１０４、１０６の長さが固定されていたが、それぞれを伸縮自在且つ所望の長さで固定できるように構成することも可能である。このように構成すれば、状況に応じて、屋根の角度を変えることが可能となる。
【符号の説明】
【００２２】
１０、２０、３０・・・枠組足場
１０ａ、２０ａ、３０ａ・・・突起
１００・・・枠組足場用屋根構造のフレーム
１０２・・・傾斜部材
１０３・・・シート部材固定輪
１０４、１０６・・・支柱
１１０、１１２・・・クランプ部
１１０ａ、１１２ａ・・・締込調整部
【図１】
2020180467.tif 000003
【図２】
2020180467.tif 000004
【図３】
2020180467.tif 000005